(57)【要約】      （修正有）【課題】カラーイメージスキャナにおいて、メンテナンスの際に、デバイスの外部でキャリブレーション実行の判断をすることのできる画像読み取り装置を提供する。【解決手段】ＳＤカード３１をＳＤカードコネクタ３０に挿入し、操作表示部からコマンド入力を行う。これにより、ＣＰＵ４０は、白基準板の領域のカラーパッチの読み取り動作を行う。カラーパッチを読み取った画像データである「画像データＤ」を、色変換回路２５においてｓＲＧＢ変換してメモリ２８に蓄積する。Ｉ／Ｆコントローラ２９は、メモリコントローラ２７を介して、メモリ２８内のｓＲＧＢ変換された画像データＤを、挿入されているＳＤカード３１に転送する。メンテナンス実行者は、ＳＤカード３１をＰＣ等に接続し、カラーパッチを読み取ったｓＲＧＢ変換された画像データＤと、カラーパッチのｓＲＧＢ基準値とを比較チェックする。【選択図】図２
2006157447.tif 000002
【特許請求の範囲】
【請求項１】
画像光をＲＧＢ画像信号に変換する撮像素子と、前記ＲＧＢ画像信号を標準色空間の画像データに変換する色信号変換手段とを備えるカラー画像読取装置において、
前記撮像素子で読み取るカラーパッチ部と、
前記撮像素子で読み取ったカラーパッチ部の画像データを前記色信号変換手段により標準色空間の画像データに変換した、カラーパッチ部変換画像データを記憶する記憶手段と、
前記記憶手段に記憶された前記カラーパッチ部変換データを前記カラー画像読取装置と着脱可能な情報記憶媒体に転送する転送手段とを備えることを特徴とするカラー画像読取装置。
【請求項２】
前記カラーパッチ部変換画像データの転送が完了したときに、転送完了を報知する報知手段を備えることを特徴とする請求項１記載のカラー画像読取装置。
【請求項３】
前記転送手段により前記カラーパッチ部変換データを前記情報記憶媒体に転送することを決定する決定手段を備えることを特徴とする請求項１または２記載のカラー画像読取装置。
【請求項４】
前記決定手段は、前記カラー画像読取装置の操作部上からの操作により前記カラーパッチ部変換画像データを前記情報記憶媒体に転送を決定することを特徴とする請求項３記載のカラー画像読取装置。
【請求項５】
前記カラーパッチ部変換画像データに付属情報を追加し、前記記憶手段に記憶させることを特徴とする請求項１から４のいずれか１項記載のカラー画像読取装置。
【請求項６】
前記カラーパッチ部の画像データを圧縮する圧縮手段を備えることを特徴とする請求項１から５のいずれか１項記載のカラー画像読取装置。
【請求項７】
請求項１から６のいずれか１項記載のカラー画像読取装置を備えることを特徴とする画像形成装置。
【請求項８】
画像光をＲＧＢ画像信号に変換する撮像素子と、前記ＲＧＢ画像信号を標準色空間の画像データに変換する色信号変換手段と、前記撮像素子で読み取るカラーパッチ部と、前記撮像素子で読み取ったカラーパッチ部の画像データを前記色信号変換手段により標準色空間の画像データに変換した、カラーパッチ部変換画像データを記憶する記憶手段と、前記記憶手段に記憶された前記カラーパッチ部変換データを前記カラー画像読取装置と着脱可能な情報記憶媒体に転送する転送手段とを備えるカラー画像読取装置の色補正方法であって、
前記カラーパッチ部を前記撮像素子で読み取るステップと、
前記カラーパッチ部を読み取った画像データを、前記色信号変換手段により前記標準色空間の画像データに変換するステップと、
前記色信号変換手段で標準色空間の画像データに変換された、カラーパッチ部変換画像データを前記記憶手段に記憶するステップと、
前記転送手段により、前記カラーパッチ部変換画像データを前記情報記憶媒体に転送するステップと、を有することを特徴とする色補正方法。
【請求項９】
前記カラーパッチ部変換画像データの転送が完了したときに、転送完了を報知するステップを有することを特徴とする請求項８記載の色補正方法。
【請求項１０】
前記転送手段により前記カラーパッチ部変換データを前記情報記憶媒体に転送することを決定するステップを有することを特徴とする請求項８または９記載の色補正方法。
【請求項１１】
前記カラーパッチ部変換画像データに付属情報を追加し、前記記憶手段に記憶させるステップを有することを特徴とする請求項８から１０のいずれか１項記載の色補正方法。
【請求項１２】
前記カラーパッチ部の画像データを圧縮するステップを有することを特徴とする請求項８から１１のいずれか１項記載の色補正方法。
【発明の詳細な説明】
【技術分野】
【０００１】
本発明は、標準色空間であるｓＲＧＢに変換してデジタルイメージを取り込むカラー画像読み取り装置、カラー画像読み取り装置を有する画像形成装置及び色補正方法に関する。
【背景技術】
【０００２】
情報化、複雑化の進むビジネス世界において、職場、オフィスで取り扱われる書類、文書の量は増加の一途を辿っている。近年では、これらの文書管理の効率化を図るため、イメージスキャナを用いて、紙面上の文書を電子イメージデータに変換して保存する電子ファイリングシステムのニーズが高まっている。
【０００３】
また、近年においては、書類、文書のカラー化が進んでおり、これに伴って、電子ファイリングの世界でもカラー化が進んでいる。スキャニング時にカラーイメージスキャナを用いることで、電子イメージデータはカラー化されて保存される。そして、電子イメージデータ利用時には、これらカラー化された電子イメージデータは、モニター、カラープリンタ、印刷機等の複数の出力装置に出力される。
【０００４】
しかし、従来、カラー化された電子イメージデータの出力段において、出力装置間でカラーの具合がマッチングしない、モニター表示とカラープリントで色味が異なってしまう等の問題が発生していた。データとしては同一のものであるのに、出力装置間でカラーの具合が合わなくなってしまうのは、スキャナ及び各出力装置の特性によって表現できるカラースペース（色域）が異なるためである。
【０００５】
上記問題点を解決する方法として、国際色彩委員会（International Color Consortium）が提唱する「ＩＣＣプロファイル」を用いたカラーマネージメント方法が挙げられる。この方法は、ＩＣＣプロファイルという各入出力装置のカラースペースや特性が書き込まれたデータから、ＰＣ（パーソナルコンピュータ）上のカラーマネージメントシステムが各入出力装置の特性を判断し、人間の目からみて同じように見えるように補正をかけてカラーデータのやりとりを実行する方法である。
【０００６】
しかし、ＩＣＣプロファイルを用いたカラーマネージメントでは、入力装置であるイメージスキャナはスキャナ固有のＩＣＣプロファイルを使用するため、ユーザは保存したカラーイメージデータに対し、どのスキャナで読み込まれたものか、そのＩＣＣプロファイルがどれであるか、を管理する必要があり、効率が悪い。なお、保存するカラーイメージデータのヘッダ等にＩＣＣプロファイルを埋め込むことで管理行為を回避できるが、これだとイメージデータのサイズが増加するため、電子ファイリングの効率性が悪くなってしまうという欠点がある。
【０００７】
また、ＩＣＣプロファイルとは別の解決方法として、国際電気標準会議の"IEC/WD61996-2-1"にてマルチメディア・システムの色管理として提唱された、インターネット用の標準のデフォルトＲＧＢスペースである「ｓＲＧＢ」を用いる方法がある。
【０００８】
ｓＲＧＢはデバイス（装置）に依存しない、標準のカラースペースであるので、カラーイメージスキャナからの出力をｓＲＧＢにすることによって、ＰＣ上のカラーマネージメントシステムは、イメージデータを標準色空間であるｓＲＧＢとして取り扱うことができ、また、ＩＣＣプロファイルのようにデータを管理する必要がなくなるので、作業が効率的になる。
【０００９】
このような背景を受けて、標準色空間であるｓＲＧＢイメージデータを出力する機能を具備したカラーイメージスキャナが、近年増えている。ｓＲＧＢ対応のカラーイメージスキャナは、色変換機能を具備しており、読み取ったＲＧＢ信号をｓＲＧＢ信号に変換する。
【００１０】
カラーイメージスキャナにおいては、原稿を照射する照明ランプの経時的な劣化等により、時間の経過により色調が変わることがある。このような場合、キャリブレーションと呼ばれる色調調整を実施して、色の変動に対する調整を図る。キャリブレーションの実行は、色調が変動し許容外と判断した場合に実行する。しかしながら、この判断は難しい。
【００１１】
キャリブレーション実施の判断方法としては、カラーイメージスキャナの動作時間や照明ランプの発光時間等を積算し、規定時間以上になった場合に自動に実行する方法がある。
【００１２】
また、今回スキャンしたｓＲＧＢデータと、メモリから読み出した前回までのｓＲＧＢデータとを比較し、データの差が１０以上の場合には基準色パッチと現在色パッチとをＣＲＴディスプレイ上に表示し、キャリブレーションの実施を選択させる技術がある（例えば、特許文献１参照）。
【特許文献１】特開２００３−２８３７３２号公報
【発明の開示】
【発明が解決しようとする課題】
【００１３】
また、サービスマン（メンテナンス実行者）によるメンテナンス時に、キャリブレーション実施の判定をする方法がある。しかし、サービスマンによるメンテナンス時には、必然的に画像読み取り装置が使えなくなるため、ユーザの作業効率を劣化させることになる。また、ユーザが忙しい場合には、定期メンテナンスを短時間に済ませる必要があり、短時間の作業では、サービスマンの業務効率が劣化することになる。
【００１４】
本発明は、前記問題点に鑑みて提案されたものであり、標準色空間であるｓＲＧＢイメージを出力する機能を具備したカラーイメージスキャナにおいて、メンテナンス時のキャリブレーション実行判断の際に、ユーザの作業効率を劣化させることの無いように、デバイスの外部でキャリブレーション実行の判断をすることのできる画像読み取り装置、画像形成装置及び色補正方法を提供することを目的とする。
【課題を解決するための手段】
【００１５】
請求項１記載の発明は、画像光をＲＧＢ画像信号に変換する撮像素子と、前記ＲＧＢ画像信号を標準色空間の画像データに変換する色信号変換手段とを備えるカラー画像読取装置において、前記撮像素子で読み取るカラーパッチ部と、前記撮像素子で読み取ったカラーパッチ部の画像データを前記色信号変換手段により標準色空間の画像データに変換した、カラーパッチ部変換画像データを記憶する記憶手段と、前記記憶手段に記憶された前記カラーパッチ部変換データを前記カラー画像読取装置と着脱可能な情報記憶媒体に転送する転送手段とを備えることを特徴とするカラー画像読取装置である。
【００１６】
請求項２記載の発明は、請求項１記載の発明において、前記カラーパッチ部変換画像データの転送が完了したときに、転送完了を報知する報知手段を備えることを特徴とする。
【００１７】
請求項３記載の発明は、請求項１または２記載の発明において、前記転送手段により前記カラーパッチ部変換データを前記情報記憶媒体に転送することを決定する決定手段を備えることを特徴とする。
【００１８】
請求項４記載の発明は、請求項３記載の発明において、前記決定手段は、前記カラー画像読取装置の操作部上からの操作により前記カラーパッチ部変換画像データを前記情報記憶媒体に転送を決定することを特徴とする。
【００１９】
請求項５記載の発明は、請求項１から４のいずれか１項記載の発明において、前記カラーパッチ部変換画像データに付属情報を追加し、前記記憶手段に記憶させることを特徴とする。
【００２０】
請求項６記載の発明は、請求項１から５のいずれか１項記載の発明において、前記カラーパッチ部の画像データを圧縮する圧縮手段を備えることを特徴とする。
【００２１】
請求項７記載の発明は、請求項１から６のいずれか１項記載のカラー画像読取装置を備えることを特徴とする画像形成装置である。
【００２２】
請求項８記載の発明は、画像光をＲＧＢ画像信号に変換する撮像素子と、前記ＲＧＢ画像信号を標準色空間の画像データに変換する色信号変換手段と、前記撮像素子で読み取るカラーパッチ部と、前記撮像素子で読み取ったカラーパッチ部の画像データを前記色信号変換手段により標準色空間の画像データに変換した、カラーパッチ部変換画像データを記憶する記憶手段と、前記記憶手段に記憶された前記カラーパッチ部変換データを前記カラー画像読取装置と着脱可能な情報記憶媒体に転送する転送手段とを備えるカラー画像読取装置の色補正方法であって、前記カラーパッチ部を前記撮像素子で読み取るステップと、前記カラーパッチ部を読み取った画像データを、前記色信号変換手段により前記標準色空間の画像データに変換するステップと、前記色信号変換手段で標準色空間の画像データに変換された、カラーパッチ部変換画像データを前記記憶手段に記憶するステップと、前記転送手段により、前記カラーパッチ部変換画像データを前記情報記憶媒体に転送するステップと、を有することを特徴とする色補正方法である。
【００２３】
請求項９記載の発明は、請求項８記載の発明において、前記カラーパッチ部変換画像データの転送が完了したときに、転送完了を報知するステップを有することを特徴とする。
【００２４】
請求項１０記載の発明は、請求項８または９記載の発明において、前記転送手段により前記カラーパッチ部変換データを前記情報記憶媒体に転送することを決定するステップを有することを特徴とする。
【００２５】
請求項１１記載の発明は、請求項８から１０のいずれか１項記載の発明において、前記カラーパッチ部変換画像データに付属情報を追加し、前記記憶手段に記憶させるステップを有することを特徴とする。
【００２６】
請求項１２記載の発明は、請求項８から１１のいずれか１項記載の発明において、前記カラーパッチ部の画像データを圧縮するステップを有することを特徴とする。
【発明の効果】
【００２７】
本発明により、メンテナンス時のキャリブレーション実行判断時に、デバイスの外部でキャリブレーション実行の判断をすることができるので、ユーザの作業の邪魔にならず、ユーザの作業効率を向上させることが可能となる。また、ユーザ先の画像読み取り装置から離れた場所でキャリブレーション実行の必要性を判断することが可能となるので、メンテナンス実行者の業務効率を向上させることが可能となる。
【発明を実施するための最良の形態】
【００２８】
まず、図１を参照して第一の実施形態にかかる画像読み取り装置の構成を説明する。本実施形態の画像読み取り装置は、スキャナ（ＳＣＲ）と、自動原稿読み取り装置（ＡＤＦ）とからなる。スキャナは、原稿台ガラス１と、第一ミラー２と、照明ランプ３と、第二ミラー４と、第三ミラー５と、白基準板６と、ＣＣＤ（撮像素子）７と、走行体モータ１５とを備える。また、自動原稿読み取り装置は、原稿トレイ８と、ピックアップローラ９と、レジストローラ１０と、搬送ドラム１１と、搬送ローラ１２と、排紙ローラ１３と、排紙トレイ１４とを備える。第一ミラー２と、照明ランプ３とは第一キャリッジに、第二ミラー４と、第三ミラー５とは第二キャリッジに搭載されており、両キャリッジは走行体モータ１５を駆動源として、図１のＡＢ間を移動可能となっている。
【００２９】
スキャナの原稿台ガラス１上に置かれた原稿は、第一ミラー２と一体に構成される照明ランプ３により照射される。この際に、照明ランプ３、第一ミラー２を搭載する第一キャリッジは、走行体モータ１５を駆動源としてＡＢ間を往復移動（原稿走査、リターン）する。原稿の反射光（画像光）は、第一ミラー２、第二ミラー４、及び、第三ミラー５で反射、走査される。そして、反射光は、レンズを介して集束され、ＣＣＤ７に照射され、電気信号に変換される。
【００３０】
また、自動原稿読み取り装置の原稿トレイ８に積載された原稿は、ピックアップローラ９、レジストローラ１０、搬送ドラム１１、搬送ローラ１２により搬送され、さらに排紙ローラ１３により、排紙トレイ１４上に排出される。この際に、第一キャリッジ及び第二キャリッジは、搬送ドラム１１の位置するＢ地点に移動しており、搬送ドラム１１上の原稿は、照明ランプ３により照射され、その反射光は各ミラー２、４、５により反射、走査される。そして、反射光は、レンズを介して集束され、ＣＣＤ７に照射され、電気信号に変換される。自動原稿読み取り装置において、ピックアップローラ９と、レジストローラ１０は、給紙モータにより駆動される。また、搬送ドラム１１と、搬送ローラ１２と、排紙ローラ１３は、搬送モータにより駆動される。
【００３１】
白基準板６は、照明ランプ３のバラツキやＣＣＤ７の画素毎の感度ムラ等が原因で、一様な濃度の原稿を読み取ったにもかかわらず、読み取りデータがばらつく現象であるシェーディングを補正する際に使用される。このシェーディング補正は、まず白基準板６を原稿スキャン前に主走査方向に１ライン分読み取り、この読み取った白基準データをラインメモリに記憶し、原稿を読み取るときに、原稿をスキャンした画素毎に、対応する白基準データで補正する。
【００３２】
次に、図２を参照して、本実施形態の画像読み取り装置の内部構成を説明する。画像読み取り装置は、センサ回路２１と、ＲＧＢライン間補正回路２２と、シェーディング補正回路２３と、変倍回路２４と、色変換回路２５と、画像処理回路２６と、メモリコントローラ２７と、メモリ２８と、Ｉ／Ｆコントローラ２９と、ＳＤカードコネクタ３０とを備える。
【００３３】
センサ回路２１は、色フィルタと、ＣＣＤ光電変換素子からなるラインセンサと、Ａ／Ｄコンバータと、駆動回路とで構成される。ラインセンサが原稿をスキャンすることで、ＣＣＤ７に原稿画像が投影され、光電変換される。ＣＣＤ７から出力されたＲＧＢの濃淡の電気信号は、Ａ／Ｄコンバータにより８ビットのデジタル信号に変換され、次処理に出力される。なお、この際のＲＧＢの原稿走査位置は、図３に示すようにＣＣＤ７のＲＧＢラインセンサ上に設けられたＲＧＢ各センサの物理的な間隔分だけ異なっている。そのため、ＲＧＢ各センサのビデオ信号をデジタル化したＲ／Ｇ／Ｂ各画像データの間には数ラインのズレがあり、このような画像データでそのまま画像形成すると、図４の（ａ）に示すような色ズレが生じる。そこで、ＲＧＢライン間補正回路２２は、ＲＧＢライン間に発生している読み取り位置のズレを、ラインメモリを用いて補正し、ラインを統一する。これにより、形成される画像が、図４の（ｂ）に示すような色ズレのない画像となる。
【００３４】
シェーディング補正処回路２３は、ＲＧＢ走査ライン毎にシェーディング補正を行い、主走査方向への照明ムラやＣＣＤの画素毎の感度ムラ等に起因する画像データレベルのばらつきを補正する。変倍回路２４はユーザから指定される変倍率に従って、拡大／縮小（圧縮）処理を施す。色変換回路２５は、予め設定されるテーブルデータに基づいた色変換処理を行い、デバイス依存のＲＧＢデータを、標準色空間の１つであるｓＲＧＢデータに変換する。
【００３５】
画像処理回路２６は、ユーザの使用目的により適宜設定されるＭＴＦ補正や平滑化等のビデオデータに対するフィルタ処理や、誤差拡散、ディザ等の階調変換処理等の各種画像処理等、ホスト３２が要求する各種画像処理を行う。メモリコントローラ２７は、画像処理が施されたビデオデータをメモリ２８に蓄積するとともに、Ｉ／Ｆコントローラ２９からの要求に従い、メモリ２８に蓄積したビデオデータをホスト３２やＳＤカードコネクタ３０に着脱される外部メモリであるＳＤカード３１に転送、複写する際のメモリ制御を行う。
【００３６】
メモリ２８は、ＲＧＢ画像データ間のタイミング調整、及び、読み取りスピードとビデオ転送スピード間に発生する速度差を吸収するために設けられたメモリである。Ｉ／Ｆコントローラ２９は、画像読み取り装置と外部装置との接続Ｉ／Ｆに準拠したデータ転送を行うコントローラであり、バスのアービトレーションデータの転送やＣＰＵ４０との制御コマンド（各種モード設定）のやりとり等を行う。なお、本実施形態では、外部接続Ｉ／Ｆとして、ＳＣＳＩ Ｉ／Ｆを使用している。
【００３７】
ホスト３２、ＣＲＴ（ＣＲＴディスプレイ）３３は、いわゆるパーソナルコンピュータ（ＰＣ）である。画像読み取り装置の操作者は、ＰＣにインストールされたスキャナアプリケーションソフト（プログラム）を介して、画像読み取り装置の状態をチェックや、各種モードを設定して所望のスキャン動作を実行し、デジタル画像イメージの取り込みをすることができる。
【００３８】
ＳＤカード３１は、フラッシュメモリを内蔵した小型メモリカードで、簡易に装置着脱可能で携帯性に優れていることから近年普及したメモリ装置である。小型メモリカードには、スマートメディア、コンパクトフラッシュ（登録商標）、メモリスティック等があるが、本実施形態ではＳＤカードを使用している。ＳＤカードコネクタ３０は、ＳＤカード３１を画像読み取り装置に接続させるためのコネクタである。ＳＤカードコネクタ３１にＳＤカード３１が挿入された際には、Ｉ／Ｆコントローラ２９を介して、ＣＰＵ４０がＳＤカード３１の存在を検知する。
【００３９】
ＣＰＵ４０は、画像読み取り装置の全体制御を行い、各回路、コントローラ、メモリ部の設定やステータスチェックを行う。なお、ＣＰＵ４０によるメモリ２８へのリード／ライト制御はメモリコントローラ２７を介してなされる。
【００４０】
次に、変倍処理(密度変換)に関して説明する。本実施形態の画像読み取り装置は、変倍回路２４において、主／副走査方向とも電気回路による変倍処理を行う。レンズの絞り（集束率）及びＣＣＤ７の読み取り画素数は固定であるため、主走査方向の読み取り密度は一定値となる。本実施形態の画像読み取り装置では、主走査方向の読み取り密度が６００ｄｐｉになるように構成されている。副走査方向の読み取り密度は、走行体モータ１５及び搬送モータの駆動スピードによって定義される。本実施形態の画像読み取り装置では、副走査方向の読み取り密度が６００ｄｐｉになるように駆動している。変倍回路２４は、メモリ２８を使用して補間処理を行い、間引き処理や２度書き処理を行うことで、任意のｄｐｉに密度変換（圧縮処理）する。例えば、５０％縮小、すなわち３００ｄｐｉに縮小（圧縮）する場合には、６００ｄｐｉ読み取りデータの隣り合う画素を補間処理しながら間引き処理をし、２画素から１画素に変換する。また、２００％拡大、すなわち１２００ｄｐｉに拡大する場合には、１画素を補間処理しながら２度書き処理を行い、２画素に変換する。
【００４１】
次に、図５を参照して、本実施形態の画像読み取り装置の操作表示部の構成を説明する。操作表示部６０は、画像読み取り装置の操作者と情報の出入力を行う部分であり、画像読み取り装置の状態や操作を促す表示を行うＬＣＤ（液晶表示装置）と、操作者からの入力を検知するスイッチ郡から構成される。ＬＣＤ回路６１は、ＬＣＤを駆動する回路部であり、操作表示制御回路６３からの指示に従って、操作者に対する各種情報を表示する。スイッチ回路６２は、スイッチ郡とスイッチ群の駆動回路から構成され、操作者によってスイッチが操作されると、入力された情報を操作表示制御回路６３に出力する。操作表示制御回路６３は、本画像読み取り装置全体の制御を司るＣＰＵ４０と、ＬＣＤ回路６１と、スイッチ回路６２とのやりとりを制御する回路である。すなわち、ＣＰＵ４０から指示される表示コマンドに従い、ＬＣＤに指示された内容を表示するようにＬＣＤ回路６１を駆動させるとともに、スイッチ回路６２からの入力情報を検知すると、入力された情報をＣＰＵ４０に伝送する。
【００４２】
次に、図６を参照して、本実施形態の画像読み取り装置に備えられる白基準板６について説明する。図６は、図１に示した白基準板の、ＣＣＤ７で撮像する面を示す。領域Ａはシェーディング補正に使用する白板基準面である。領域Ｂの部分にはカラーパッチＰ１〜Ｐ７が設けてある。各カラーパッチにはその品質が管理された基準となるカラー印刷が施されており、カラーパッチＰ１〜Ｐ７を分光測色系等により測色したＸＹＺ値から求められるｓＲＧＢ値（ｓＤＰ１〜ｓＤＰ７）が、各カラーパッチ毎に定められている。このｓＲＧＢ値は、基準ｓＲＧＢ値として用いられる。
【００４３】
次に、本実施形態の画像読み取り装置のキャリブレーション実施の必要性を判断するための、チェック動作に関して説明する。まず、メンテナンス実行者は、ＳＤカード３１をＳＤカードコネクタ３０に挿入する。次に、操作表示装置６０を操作して、「スキャナキャリブレーションチェック」のスイッチを押下する。ＣＰＵ４０は、操作表示装置６０におけるスキャナキャリブレーションチェックのスイッチ入力を検知すると、白基準板６の領域Ｂの読み取り動作を行う。これによりセンサ回路２１から、カラーパッチを読み取った画像データである「画像データＤ」が入力される。ＲＧＢライン間補正回路２２は、受け取った画像データＤに対し通常のライン間補正処理を施し次段に出力する。シェーディング補正回路２３も、通常のシェーディング補正処理を行う。変倍回路２４および画像処理回路は２６、特に処理を行わずに、画像データＤを出力する。色変換回路２５では、画像データＤをｓＲＧＢ変換して出力する。メモリコントローラ２７は、ｓＲＧＢ変換された画像データＤをメモリ２８に蓄積する。Ｉ／Ｆコントローラ２９は、メモリコントローラ２７を介して、メモリ２８内のｓＲＧＢ変換された画像データＤを、挿入されているＳＤカード３１に転送する。ＣＰＵ４０は、メモリ２８内のｓＲＧＢ変換された画像データＤをＳＤカード３１に転送し終えると、その旨を操作表示装置６０のＬＣＤに出力表示する。メンテナンス実行者は、操作表示装置６０をみて、画像データＤの転送終了を確認すると、ＳＤカード３１を画像読み取り装置から抜き取る。そして、ｓＲＧＢ変換された画像データＤの記録されたＳＤカード３１をＰＣ等に接続し、カラーパッチを読み取ったｓＲＧＢ変換された画像データＤと、カラーパッチのｓＲＧＢ基準値とを比較チェックする。
【００４４】
本実施形態により、メンテナンス実行者は、画像読み取り装置の外部で、さらには、ユーザ先の画像読み取り装置から離れた場所でキャリブレーションの実行の判断をすることが可能となる。これにより、キャリブレーションの実行の判断時にも、ユーザは画像読み取り装置を使用できることになるため、ユーザの作業効率を向上させることが可能となる。また、ユーザ先の画像読み取り装置から離れた場所でキャリブレーション実行の必要性を判断することが可能となるので、メンテナンス実行者の業務効率を向上させることが可能となる。
【００４５】
次に、第二の実施形態について説明する。本実施形態は、第一の実施形態において、メモリ２８に記録されたｓＲＧＢ変換された画像データＤをＳＤカード３１に転送する際に、データの付属情報を追加して転送する。具体的には、ＣＰＵ４０が、メモリ２８に蓄積された画像データＤに対し、サイズやビット深度、解像度等の付属情報を汎用画像フォーマットのヘッダデータの形態で追記する。例えば、画像フォーマットとしてＴＩＦＦファイルフォーマットを用いるとすると、Ｉ／Ｆコントローラ２９はメモリコントローラ２７を介してメモリ２８内のＴＩＦＦフォーマットのイメージデータ化された画像データＤを、ＳＤカード３１に転送する。そして、ＳＤカード３１をＰＣ等に接続し、比較チェックする際には、汎用のイメージビューアに表示させてチェックする。このときに、図７に示すように、カラーパッチのｓＲＧＢ基準値画像データと合わせて表示させ、メンテナンス実行者が視覚的に比較チェックする。
【００４６】
本実施形態により、画像データＤを、ＢＭＰやＴＩＦＦ等の汎用フォーマットの画像ファイル形態で蓄積することができるので、ＳＤカード内の画像データＤをＰＣ等で比較チェックする際に、汎用のイメージビューアを用いることが可能となる。このことによりメンテナンス実行者のメンテナンス用ツールの開発効率を低く押さえ、画像読み取り装置を低コストに提供することが可能となる。
【００４７】
なお、第一、第二の実施形態において、画像データＤをメモリ２８に記録させる際に、変倍回路２４を用いて画像データＤに圧縮処理を施すことも可能である。このように画像データＤを縮小処理することにより、ＳＤカード３１において必要なメモリサイズを小さくすることが可能となる。変倍回路２４は、元々画像読み取り装置に搭載されている回路なので、低コストで上記実施形態を実現することが可能となる。
【００４８】
次に、図８を参照して、第三の実施形態を説明する。図８は、本実施形態に係る画像形成装置の構成を示す。画像形成装置１００は、原稿台１０１と、原稿読み取り部１０２と、原稿書き込み部１０３と、現像装置１０４と、感光体１０６と、定着部１０７と、排紙ローラ１０８と、排紙トレイ１０９と、給紙トレイ１１０と、給紙ローラ１１１とを有する。
【００４９】
原稿台１０１に置かれた原稿は、原稿読み取り部１０２によって読み取られ、読み取られた画像データは、画像書き込み部１０３に伝達される。画像書き込み部１０３は、書き込みレーザを照射し、感光体１０６上に静電潜像を形成する。現像装置１０４は、感光体１０６上の静電潜像に、現像剤担持体１０５を用いて現像剤を搬送することにより、静電潜像を現像し、トナー像を形成する。このトナー像は、給紙トレイ１１０から給紙ローラ１１１により搬送されてきた用紙上に転写される。用紙上に転写されたトナー像は、定着部１０７により熱定着される。そして、トナー像が熱定着された用紙は、排紙ローラ１０８を介して排紙トレイ１０９上に排紙される。
【００５０】
本実施形態の画像形成装置１００は、第一、第二の実施形態で説明した画像読み取り装置を、原稿台１０１、原稿読み取り部１０２として有している。これにより、本実施形態の画像形成装置は、画像形成装置１００のキャリブレーション実施の判断を行う際に、メンテナンス実行者は、画像形成装置１００の外部で、さらには、ユーザ先の画像形成装置１００から離れた場所でキャリブレーションの実行の判断をすることが可能となる。これにより、キャリブレーションの実行の判断時にも、ユーザは画像形成装置を使用できることになるため、ユーザの作業効率を向上させることが可能となる。また、メンテナンス実行者の業務効率を向上させることが可能となる。また、画像データＤを、ＢＭＰやＴＩＦＦ等の汎用フォーマットの画像ファイル形態で蓄積することができるので、ＳＤカード内の画像データＤをＰＣ等で比較チェックする際に、汎用のイメージビューアを用いることが可能となる。このことによりメンテナンス実行者のメンテナンス用ツールの開発効率を低く押さえ、画像形成装置を低コストに提供することが可能となる。
【図面の簡単な説明】
【００５１】
【図１】実施形態の画像読み取り装置の構成を示す図である。
【図２】実施形態の画像読み取り装置の内部構成を示す図である。
【図３】ＣＣＤの受光面を示す正面図である。
【図４】ＲＧＢ画像データにより表される画像を模式的に示す平面図である。
【図５】操作表示装置の構成を示すブロック図である。
【図６】白基準板を示す図である。
【図７】画像データＤとｓＲＧＢ基準値画像データとをイメージビューアで表示したものを示す図である。
【図８】第三の実施形態に係る画像形成装置の構成を示す図である。
【符号の説明】
【００５２】
６    白基準板
７    ＣＣＤ
２１    センサ回路
２２    ＲＧＢライン間補正回路
２４    変倍回路
２８    メモリ
２９    Ｉ／Ｆ コントローラ
３１    ＳＤカード
４０    ＣＰＵ
【図１】
2006157447.tif 000003
【図２】
2006157447.tif 000004
【図３】
2006157447.tif 000005
【図４】
2006157447.tif 000006
【図５】
2006157447.tif 000007
【図６】
2006157447.tif 000008
【図７】
2006157447.tif 000009
【図８】
2006157447.tif 000010